(57)【要約】      （修正有）【課題】取付環境に応じた長さ調節が簡便にでき、施工性に優れ、呼び樋を要することのない鎖樋を提供する。【解決手段】鎖樋を、鎖樋素体１として、大径の基端部１１、小径の中間段部１２、先端係止部１３を有し、それらの間は先端側に向けて縮径する筒状形態を呈するとともに、前記中間段部１２には係合孔１６が対称的に配設され、前記先端係止部１３には前記中間段部１２の係合孔１６に対応して突起１７が対称的に配設されてなるものを用い、鎖樋素体１同士を、その一方の中間段部１２の係合孔１６に他方の先端係止部１３の突起１７が係止されるようにして、鎖樋素体１が連設されてなるものとする。【選択図】図１
2010116720.tif 000002
【特許請求の範囲】
【請求項１】
大径の基端部と、小径の中間段部と、先端係止部とを有し、かつそれらの間は先端側に向けて縮径する筒状形態を呈するとともに、前記中間段部には係合孔が対称的に配設され、一方、前記先端係止部には前記中間段部の係合孔に対応して突起が対称的に配設されてなる鎖樋素体を用い、鎖樋素体同士は、その一方の中間段部の係合孔に他方の先端係止部の突起が係止されるようにして連設されていることを特徴とする鎖樋。
【請求項２】
前記先端係止部の形状は、突起を除いた状態で、略球状、略半球状、扁平球状または楕円体状であることを特徴とする請求項１に記載の鎖樋。
【請求項３】
前記先端係止部は、その央部を内方へ陥没させてほぼ垂直に立ち上げた一対の板状壁として延設させ、かつこの板状壁同士を上端部で連接一体化させてスリットを形成させてなることを特徴とする請求項１に記載の鎖樋。
【発明の詳細な説明】
【技術分野】
【０００１】
本発明は、雨水を下方へ流下せしめる鎖樋に関するものである。
【背景技術】
【０００２】
従来より、鎖樋として、チェーン構造体を利用し、軒樋から吊るして雨水を排水するものが知られている（例えば、特許文献１〜２参照）。
しかし、このような鎖樋では、チェーン構造体のため任意生産ができない上に、施工時においては、住宅仕様の多様化等の取付環境に応じてその都度長さを調整する必要があり、例えば鎖樋の長さに比し屋根高さが低過ぎる物件に対しては鎖樋の切断加工を要し、それに伴い廃棄物が生じるのを免れないし、また、屋根高さが高過ぎる物件に対しては継ぎ足し部材を要し、施工工数が多大になる等の煩瑣な施工作業の労を免れないという問題がある。
また、鎖樋も包含される縦樋においては、軒先等に設けられた集水器と縦樋とを接続する呼び樋が用いられることもよく知られ（特許文献３参照）、例えば、図５に略示するように、特許文献３では縦樋７が呼び樋に接続されている。しかし、このような呼び樋では、さらに集水器と縦樋との配設関係に応じて、例えば軒先における集水器の高さや縦樋との位置関係等に合わせて、呼び樋の角度を調節する必要が生じ、そのために接合部品を要するなど、煩瑣な施工作業の労を免れないという問題がある。
【０００３】
【特許文献１】実開昭６１−１８４０５４号公報
【特許文献２】実開平６−２４１９８号公報
【特許文献３】特許第２７４９４２３号公報
【発明の開示】
【発明が解決しようとする課題】
【０００４】
本発明は、このような事情の下、取付環境に応じた長さ調節が簡便にでき、施工性に優れ、呼び樋を要することのない鎖樋を提供することを課題とするものである。
【課題を解決するための手段】
【０００５】
本発明者らは、上記課題を解決すべく鋭意検討した結果、鎖樋素体を、大径の基端部、小径の中間段部、先端係止部を有し、それらの間は先端側に向けて縮径する筒状形態を呈し、中間段部および先端係止部に所定の係合孔および突起を各配設されてなるものとし、鎖樋素体同士を、その一方の中間段部の係合孔に他方の先端係止部の突起が係止され、鎖樋素体が連設されてなる鎖樋により、上記課題が達成されることを見出し、この知見に基づいて本発明をなすに至った。
【０００６】
すなわち、本発明の第１の発明によれば、大径の基端部と、小径の中間段部と、先端係止部とを有し、かつそれらの間は先端側に向けて縮径する筒状形態を呈するとともに、前記中間段部には係合孔が対称的に配設され、一方、前記先端係止部には前記中間段部の係合孔に対応して突起が対称的に配設されてなる鎖樋素体を用い、鎖樋素体同士は、その一方の中間段部の係合孔に他方の先端係止部の突起が係止されるようにして連設されていることを特徴とする鎖樋が提供される。
【０００７】
また、本発明の第２の発明によれば、第１の発明において、前記先端係止部の形状は、突起を除いた状態で、略球状、略半球状、扁平球状または楕円体状であることを特徴とする鎖樋が提供される。
【０００８】
また、本発明の第３の発明によれば、第１の発明において、前記先端係止部は、その央部を内方へ陥没させてほぼ垂直に立ち上げた一対の板状壁として延設させ、かつこの板状壁同士を上端部で連接一体化させてスリットを形成させてなることを特徴とする鎖樋が提供される。
さらに、先端係止部の形状を略球状とした場合には、本発明の鎖樋は３次元的に変形させることができるので、集水器と竪樋の施工位置にずれが生じていたとしても両者を容易に接続することができる。
【発明の効果】
【０００９】
本発明の鎖樋によれば、鎖樋素体を任意に取り付け、取り外すのが可能となり、施工の際、住宅仕様の多様化等の取付環境に応じて、例えば鎖樋の長さに比し屋根高さが低過ぎる場合には、所望長さになるように余分の鎖樋素体を取り外し、また、屋根高さが高過ぎる場合には、不足分の鎖樋素体を取り付ける作業を簡単に行えるなど、長さ調節が簡便にでき、施工性に優れ、従来のような切断された鎖樋廃棄物の発生等の不具合を生じないし、また、連結角度を変えても水漏れせず、呼び樋としても機能するという顕著な効果が奏される。
また、本発明の鎖樋によれば、その構成部材の鎖樋素体は、その材料を合成樹脂とすれば射出成形で容易に成形することができ、製造コストを抑えうるという利点がある。
【発明を実施するための最良の形態】
【００１０】
本発明の鎖樋において、その構成ユニットである鎖樋素体について、先ず、説明する。
鎖樋素体は、大径の基端部、小径の中間段部、先端係止部を有し、それらの間は先端側に向けて縮径する筒状形態を呈するとともに、該中間段部には係合孔が対称的に配設され、該係止部には中間段部の係合孔に対応して突起が対称的に配設されてなるものである。
【００１１】
本発明の鎖樋においては、前記基端部と、それと前記中間段部との間において先端側に向けて縮径する筒状形態を呈し、好ましくは漏斗状或いは側面視で円錐台形状を呈する部分（これを第１筒状部ともいう）とで、容積率でほとんど大半を占めるのがよく、そのようにすることにより、雨水を確実に下方へ誘導するガイド体としての主機能を果たさせうる。このような機能面からして、大径の基端部は、それにより囲繞される内容積が比較的に大容量となるように、中間段部よりも径が格段に大きく、深さも相当ある方が好ましい。
また、前記中間段部は、前記基端部に対し、径比で、１／１０〜１／３程度、中でも１／８〜１／４とするのがよい。
【００１２】
本発明の鎖樋においては、前記中間段部と、それと前記先端係止部の間において先端側に向けて縮径する筒状形態を呈し、好ましくは断面視でＶ字状或いは長細いＶ字状を呈する部分（これを第２筒状部ともいう）とで、鎖樋素体同士の連結機能や、排水口を適宜設けたりするなどして雨水の排水機能等を果たさせるようにするのがよい。
【００１３】
本発明の鎖樋においては、少なくとも最上段の鎖樋素体について、その基端部の側面上部に、該基端部を集水器に付設された鎖樋アダプタの係止部に取り付けるために、対で対向させてなる係止片、好ましくは対向位置に一対配設させてなる係止片（例えば突起等）を外方へ突出させるのが好ましい。
前記中間段部における係合孔については、対向位置に一対配設させるのがよく、また、前記先端係止部における突起についても、対向位置に一対配設させるのがよい。
【００１４】
前記先端係止部は、底部の周縁において対向位置に一対配設させてなる突起を外方へ突出させてなるものが好ましい。
前記先端係止部は、その央部を内方へ陥没させてほぼ垂直に立ち上げた一対の板状壁として延設させ、かつこの板状壁同士を上端部で連接一体化させてスリットを形成させてなるものとしてもよい。
【００１５】
本発明の鎖樋における係止片については特に制限されないが、例えば外方へ突出する突起や係止爪等が挙げられる。
【００１６】
鎖樋素体は、その材料に合成樹脂や金属等、中でも弾性変形しうるものを用いることができる。
合成樹脂としては、熱可塑性樹脂や熱硬化性樹脂が挙げられ、中でも熱可塑性樹脂が好ましい。熱可塑性樹脂としては、例えばポリオレフィン、ポリスチレン、ポリ塩化ビニル、ナイロン等のポリアミド、ＡＢＳ、ＥＶＡ、ポリエチレンテレフタレート、ポリブチレンテレフタレート等のポリエステル、アクリル系樹脂、フッ素樹脂、ポリウレタン、ポリカーボネート、ポリフェニレンオキシド、ポリフェニレンスルフイド、ポリアセタール等が挙げられる。ポリオレフィンとしては具体的には、ＬＬＤＰＥ（線状低密度ポリエチレン）、ＨＤＰＥ（高密度ポリエチレン）、ＬＤＰＥ（低密度ポリエチレン）等のポリエチレン、ポリプロピレン、プロピレン・エチレンブロック共重合体、プロピレン・エチレンランダム共重合体、これら共重合体以外のプロピレン・α−オレフィンブロック共重合体やプロピレン・α−オレフィンランダム共重合体等が挙げられ、中でも耐候性、耐衝撃性に優れるもの、特にポリ塩化ビニルや、その変性物、、例えば塩素化ポリ塩化ビニル等が好ましい。
【００１７】
金属としては、りん青銅、黄銅、青銅、ステンレス鋼、ベリリウム銅、アルミニウム等が挙げられる。
鎖樋素体は射出成形体であるのが好ましく、例えば熱可塑性樹脂、中でもポリ塩化ビニルや、その変性物、例えば塩素化ポリ塩化ビニル等の射出成形体が挙げられる。
【００１８】
鎖樋素体の連結は、鎖樋素体同士を、その一方の中間段部の係合孔に他方の先端係止部の突起を係止させて、吊下げられるようにすることによって容易に行われる。
その際、連結角度を適宜変えることもできる。
鎖樋素体を弾性変形しうる材料とすれば、鎖樋素体同士の連結を簡便に行うことができる。例えば、一方の鎖樋素体の先端係止部における突起を、他方の鎖樋素体の中間段部に上方より押し込み、該中間段部の壁面を変形させながら下方へ摺動させ、該中間段部における係合孔に押し込むようにして差し込んだり、或いは上記係止部を、前記したようにスリットを形成させたものとした場合では、一方の鎖樋素体の先端係止部における突起を、スリット部をすぼませつつ、他方の中間段部の壁面に弾発的に押し当てながら下方へ摺動させ、該中間段部における係合孔に押し込むようにして差し込み、差し込み後は、突起の先端が係合孔外に押し出されるとともに、形状が材料自体の弾性で復元され、確実に係止されるようになることで行われる。
また、前記鎖樋アダプタの係止部を回動自在のものとすることで、それと相俟って、より一層連結角度を適宜変えるのが可能になる。
【実施例】
【００１９】
以下、図示の実施例により本発明をさらに詳しく説明するが、本発明はこの例によって何ら限定されるものではない。
図１は、鎖樋素体の一例を示す部分破断正面図、図２は、図１の鎖樋素体の部分破断側面図、図３は、鎖樋素体の他の一例を示す部分破断概略図、図４は、図１の鎖樋素体を用いてなる鎖樋の一例を示す概略図である。
【００２０】
図１および２において、１は鎖樋素体であって、それは大径の基端部１１、小径の中間段部１２、先端係止部１３、、基端部１１と中間段部１２との間において漏斗状或いは側面視で円錐台形状を呈する第１筒状部１４、および中間段部１２と先端係止部１３との間において断面視で細長いＶ字状を呈する第２筒状部１５から形成され、中間段部１２には係合孔１６が対向位置に一対配設され、先端係止部１３には中間段部の係合孔１６に対応して突起１７が対向位置に一対配設され、基端部１１には、それを集水器に付設された鎖樋アダプタの係止部に取り付けるために、対向位置に一対配設させてなる係止片１８が外方へ突出され、排水口２０が第２筒状部１５に開設されてなるものである。
【００２１】
図３において、先端係止部１３の構造の他は、図１のものと同様であり、先端係止部は、図１のそれにおいて、その央部を内方へ陥没させてほぼ垂直に立ち上げた一対の板状壁として延設させ、かつこの板状壁同士を上端部で連接させて一体化させ、スリット１９を形成させてなるものである。
【００２２】
図４において、鎖樋Ａは、図１の鎖樋素体１，１・・を連結し、連結角度を適宜変えてなるものである。
【産業上の利用可能性】
【００２３】
本発明の鎖樋は、取付環境に応じて長さ調節を簡便に行うことができ、施工性に優れ、呼び樋としても機能するし、また、その構成部材の鎖樋素体を、射出成形で容易に成形することができ、製造コストを抑えることができるので、産業上大いに有用である。
【図面の簡単な説明】
【００２４】
【図１】本発明の鎖樋に用いられる鎖樋素体の一例を示す部分破断正面図。
【図２】図１の鎖樋素体の部分破断側面図
【図３】本発明の鎖樋に用いられる鎖樋素体の他の一例を示す部分破断概略図
【図４】図１の鎖樋素体を用いてなる鎖樋の一例を示す概略図。
【図５】縦樋の呼び樋への接続構造の一例を示す概略図。
【符号の説明】
【００２５】
Ａ  鎖樋
１  鎖樋素体
１１  基端部
１２  中間段部
１３  先端係止部
１４  第１筒状部
１５  第２筒状部
１６  係合孔
１７  突起
１８  係止片
１９  スリット
２０  排水口
７  縦樋
【図１】
2010116720.tif 000003
【図２】
2010116720.tif 000004
【図３】
2010116720.tif 000005
【図４】
2010116720.tif 000006
【図５】
2010116720.tif 000007